(57)【要約】  記録媒体に記録又は再生を行うヘッドと、当該ヘッドを支持するサスペンションと、当該サスペンションに配置されたリフトタブと、前記ヘッドを前記記録媒体上にロードする際と前記記録媒体から前記ヘッドをアンロードする際に、前記リフトタブが弾性的に当接して摺動し、前記ヘッドを前記記録媒体から離間した位置に保持するように前記リフトタブを所定位置に支持するランプと、前記ランプの近傍の離れた位置に配置された加熱部と、を有することを特徴とする記憶装置を提供する。
2007091296.tif 000002
【特許請求の範囲】
【請求項１】
記録媒体に記録又は再生を行うヘッドと、
当該ヘッドを支持するサスペンションと、
当該サスペンションに配置されたリフトタブと、
前記ヘッドを前記記録媒体上にロードする際と前記記録媒体から前記ヘッドをアンロードする際に、前記リフトタブが弾性的に当接して摺動し、前記ヘッドを前記記録媒体から離間した位置に保持するように前記リフトタブを所定位置に支持するランプと、
前記ランプの近傍の離れた位置に配置された加熱部と、
を有することを特徴とする記憶装置。
【請求項２】
発熱性回路素子を搭載した回路基板を更に有し、前記加熱部は前記発熱性回路素子であり、前記ランプは前記回路基板の第１の面に設けられ、前記発熱性回路素子は前記回路基板の前記第１の面と反対の第２の面の、前記ランプに対応する位置に設けられることを特徴とする請求項１記載の記憶装置。
【請求項３】
前記ランプもしくはその周囲の温度を測定する温度測定部と、
当該温度測定部の測定結果に基づいて、前記加熱部の加熱動作を制御する制御部とを更に有することを特徴とする請求項１記載の記憶装置。
【請求項４】
前記制御部は、前記温度測定部の測定結果が常温になるように、前記加熱部の加熱動作を制御することを特徴とする請求項１記載の記憶装置。
【請求項５】
記録媒体に記録又は再生を行うヘッドと、当該ヘッドを支持するサスペンションと、当該サスペンションに配置されたリフトタブと、前記ヘッドを前記記録媒体上にロードする際と前記記録媒体から前記ヘッドをアンロードする際に、前記リフトタブが弾性的に当接して摺動し、前記ヘッドを前記記録媒体から離間した位置に保持するように当該リフトタブを所定位置に支持するランプとを有する記憶装置に使用される温度制御方法であって、装置使用開始時の前記ヘッドを前記記録媒体上にロードする前に、前記ランプまたはその周囲の環境温度が所定温度になるように調整することを特徴とする温度制御方法。
【発明の詳細な説明】
【技術分野】
【０００１】
本発明は、一般には、記憶装置に係り、特に、記録媒体から外れた位置でヘッドを保持するランプを有する記憶装置に関する。本発明の記憶装置は、例えば、ハードディスクドライブ（以下、「ＨＤＤ」という。）に好適である。
【技術背景】
【０００２】
近年のインターネット等の急速な発達に伴い、利用される電子情報量は爆発的な勢いで増加している。このため、ＨＤＤに代表される磁気記憶装置は大量の情報を保存しておくため、大容量化が益々要求されている。ＨＤＤにおいては、ヘッドを搭載したスライダがディスク上で浮上して記録再生動作を行う。ディスクの起動及び停止時のスライダとディスクとの関係には、ディスク停止時及び回転開始時にスライダがディスクに接触するＣＳＳ（Ｃｏｎｔａｃｔ Ｓｔａｒｔ Ｓｔｏｐ）方式と、スライダがディスクの停止時にディスクから退避してランプと呼ばれる保持部材に保持されるランプロード又はダイナミックロード方式が存在する。
【０００３】
ＣＳＳ方式は、スライダとディスクが吸着しやすく、吸着を避けるためにディスク表面に微小な凹凸を形成するテクスチャ処理も必要となる。かかるテクスチャ処理はコストアップをもたらす上に、特に、近年の高記録密度によるスライダの浮上量の減少とそれに伴うディスク表面の平滑化の要請から困難になってきた。
【０００４】
そこで、ランプロード方式が最近注目されている。ランプロード方式は、ディスクの回転開始時及び停止時にスライダをディスクと非接触に保持するため、摩擦によるディスクの損傷や両者の吸着がない。また、テクスチャ処理も不要でヘッド浮上量も小さくできるという長所も有する。ランプロード方式においては、スライダを支持するサスペンションの先端に設けられたリフトタブは、ランプに弾性力をもって接触しながらランプの摺動面を摺動し、スライダをディスクにロード及びアンロードする。
【０００５】
従来技術としては特許文献１乃至３がある。
【特許文献１】特開２０００−３６７３１３号公報
【特許文献２】特開２００４−９５００９号公報
【特許文献３】特開２００５−１５８０９７号公報
【発明の開示】
【０００６】
しかし、ランプロード方式においては、典型的に、ランプはポリアセタールや液晶ポリマなどで、サスペンションは金属で形成されるために、スライダの摺動動作の繰り返しによって磨耗による磨耗粉が発生するという問題があった。かかる磨耗粉は、サスペンションに付着し、スライダがディスクにロードされる際にディスクに落下すると共に、ディスク上を移動するスライダにも付着する。磨耗粉はクラッシュの発生をもたらす惧れがあるために好ましくない。
【０００７】
そこで、本発明は、クラッシュの危険性を低減することによって安定した記録再生動作をもたらす記憶装置を提供することを例示的な目的とする。
【０００８】
本発明の一側面としての記憶装置は、記録媒体に記録又は再生を行うヘッドと、当該ヘッドを支持するサスペンションと、当該サスペンションに配置されたリフトタブと、前記ヘッドを前記記録媒体上にロードする際と前記記録媒体から前記ヘッドをアンロードする際に、前記リフトタブが弾性的に当接して摺動し、前記ヘッドを前記記録媒体から離間した位置に保持するように前記リフトタブを所定位置に支持するランプと、前記ランプの近傍の離れた位置に配置された加熱部と、を有することを特徴とする。ランプの磨耗は低温の方が顕著である。特に、記憶装置の電源オン時やスリープモードからの起動時などの使用開始時は装置が温まっておらず、低温環境で前記ヘッドを前記記録媒体上にロードする場合はリフトタブがランプ上を摺動して磨耗が発生しやすい。しかし、装置はモータの使用などにより段々と温まり常温環境になっていくので、このような磨耗は自然に減少する。従って、ランプ近傍に加熱部を設け低温環境下の使用開始時にランプの近傍を加熱しておき、ヘッドをロード(リフトタブをランプアンロード)させることによりランプの磨耗を低減することができる。 
【０００９】
また、使用開始時は、ヘッドはランプロードされ、リフトタブがランプに保持されており、ランプとリフトタブの両方を加熱できるのでランプアンロード時リフトタブがランプを摺動する際の磨耗を効果的に防止することができる。また、加熱部の位置はランプに保持されたリフトタブとランプとの中間であってもよい。
【００１０】
前記加熱部は前記ランプ自体ではなくランプから離れた近傍に配置されることが好ましい。ランプは一般にポリアセタールや液晶ポリマなどの材料からなり、加熱部がランプに搭載されると加熱によりランプが変形して寸法精度が低下する可能性があるからである。
【００１１】
発熱性回路素子を搭載した回路基板を更に有し、前記加熱部は前記発熱性回路素子であり、前記ランプは前記回路基板の第１の面に設けられ、前記発熱性回路素子は前記回路基板の前記第１の面と反対の第２の面に設けられてもよい。かかる構成は、従来からあるＩＣなどの発熱性回路素子を利用して加熱部を新たな部材として設けることなくランプの磨耗を防止することができる。発熱性回路素子は第２の面においてランプに対応する位置に設けられたり、ランプとランプに保持されたリフトタブの中間に設けられたりするなど位置は限定されない。
【００１２】
前記リフトタブ及び前記ランプの周囲の温度を測定する温度測定部と、当該温度測定部の測定結果に基づいて前記加熱部の加熱動作を制御する制御部とを更に有してもよい。これにより、制御部は、冬季や夜半などの低温時のみに加熱部を駆動することができるので消費電力の削減を図ることができる。また、ランプを過剰に加熱しないのでランプの変形を防止することができる。
【００１３】
前記制御部は、前記温度測定部の測定結果が常温になるように、前記加熱部の動作を加熱制御することが好ましい。ランプは、一般に常温（２５度）で所期の寸法になるように設計されるので、制御部はランプの寸法精度を維持することができる。
【００１４】
本発明の別の側面としての温度制御方法は、記録媒体に記録又は再生を施すヘッドと、当該ヘッドを支持するサスペンションと、前記ヘッドを前記記録媒体上にロードする際と前記記録媒体から前記ヘッドをアンロードする際に、前記リフトタブが弾性的に当接して摺動し、前記ヘッドを前記記録媒体から離間した位置に保持するように当該リフトタブを所定位置に支持するランプとを有する記憶装置に使用される温度制御方法であって、装置使用開始時の前記ヘッドを前記記録媒体上にロードする前に、前記ランプの周囲の環境温度が所定温度になるように調整することを特徴とする。
【００１５】
本発明の更なる目的又はその他の特徴は、以下、添付図面を参照して説明される好ましい実施例によって明らかにされるであろう。
【図面の簡単な説明】
【００１６】
【図１】本発明の一側面としてのドライブの一例であるハードディスクドライブ（ＨＤＤ）の内部構造を示す平面図である。
【図２】図１に示すＨＤＤのスライダの拡大斜視図である。
【図３】図１に示すＨＤＤのランプの拡大斜視図である。
【図４】図１に示すＨＤＤのランプの拡大平面図である。
【図５】図１に示すランプの環境温度別の磨耗量を示すグラフである。
【図６】図１に示す加熱部を利用した温度制御系のブロック図である。
【図７】図１に示す加熱部の変形例の平面図である。
【発明を実施するための最良の形態】
【００１７】
以下、添付図面を参照して、本発明の一実施形態としてのＨＤＤ１について説明する。ＨＤＤ１は、図１に示すように、筐体１２内に、記録媒体としての一又は複数の磁気ディスク１３と、スピンドルモータ１４と、磁気ヘッド部と、ランプ３０と、加熱部４０とを収納する。ここで、図１は、ＨＤＤ１の内部構造の概略平面図である。なお、本実施形態では磁気ディスク１３の枚数は例示的に一枚である。【００１８】
筐体１２は、例えば、アルミダイカストベースやステンレスなどから構成され、直方体形状を有し、内部空間を密閉する図示しないカバーが結合される。本実施形態の磁気ディスク１３は高い面記録密度、例えば、１００Ｇｂ／ｉｎ２以上を有する。磁気ディスク１３は、その中央に設けられた孔を介してスピンドルモータ１４のスピンドルに装着される。【００１９】
スピンドルモータ１４は、例えば、１００００ｒｐｍなどの高速で磁気ディスク１３を回転し、例えば、図示しないブラシレスＤＣモータとそのロータ部分であるスピンドルを有する。例えば、２枚の磁気ディスク１３を使用する場合、スピンドルには、ディスク、スペーサー、ディスク、クランプと順に積まれてスピンドルと締結したボルトによって固定される。【００２０】
磁気ヘッド部は、スライダ１９と、スライダ１９の位置決め及び駆動機構として機能するアクチュエータ２１とを有する。【００２１】
スライダ１９は、図２に示すように、略直方体に形成されるＡｌ２Ｏ３−ＴｉＣ（アルチック）製のスライダ本体２２と、スライダ本体２２の空気流出端に接合されて、読み出し及び書き込み用のヘッド２３を内蔵するＡｌ２Ｏ３（アルミナ）製のヘッド素子内蔵膜２４とを備える。ここで、図２は、スライダ１９の拡大斜視図である。スライダ本体２２及びヘッド素子内蔵膜２４には、磁気ディスク１３に対向する媒体対向面、即ち、浮上面２５が規定される。磁気ディスク１３の回転に基づき生成される気流２６は浮上面２５に受け止められる。【００２２】
浮上面２５には、空気流入端から空気流出端に向かって延びる２筋のレール２７が形成される。各レール２７の頂上面にはいわゆるＡＢＳ（空気軸受け面）２８が規定される。ＡＢＳ２８では気流２６の働きに応じて浮力が生成される。ヘッド素子保護膜２４に埋め込まれたヘッド２３はＡＢＳ２８で露出する。なお、スライダ１９の浮上方式はかかる形態に限られず、既知の動圧潤滑方式、静圧潤滑方式、ピエゾ制御方式、その他の浮上方式を適用することができる。本実施形態は、後述するように、停止時にスライダ１９を磁気ディスク１３から退避又はアンロードして磁気ディスク１３の外側にあるランプ３０でスライダ１９を磁気ディスク１３と非接触に保持し、起動時に保持部から磁気ディスク１３上にロードするランプロード方式を採用している。【００２３】
ヘッド２３は、導電コイルパターン（図示せず）で生起される磁界を利用して磁気ディスク１３に２値情報を書き込む誘導書き込みヘッド素子（以下、「インダクティブヘッド素子」という。）と、磁気ディスク１３から作用する磁界に応じて変化する抵抗に基づき２値情報を読み取る磁気抵抗効果（以下、「ＭＲ」という。）ヘッド素子とを有するＭＲインダクティブ複合ヘッドである。ＭＲヘッド素子は、（ＣＩＰ（Ｃｕｒｒｅｎｔ  ｉｎ  Ｐｌａｎｅ）構造を利用したＧＭＲ、ＣＰＰ（Ｃｕｒｒｅｎｔ  Ｐｅｒｐｅｎｄｉｃｕｌａｒ  ｔｏ  Ｐｌａｎｅ）構造を利用したＧＭＲを含む）ＧＭＲ（巨大磁気抵抗：Ｇｉａｎｔ Ｍａｇｎｅｔｏｒｅｓｉｓｔｉｖｅ）、ＴＭＲ（Ｔｕｎｎｅｌｉｎｇ Ｍａｇｎｅｔｏｒｅｓｉｓｔｉｖｅ）、ＡＭＲ（ａｎｉｓｏｔｒｏｐｉｃ Ｍａｇｎｅｔｏｒｅｓｉｓｔｉｖｅ）等種類を問わない。【００２４】
再び図１に戻って、アクチュエータ１６は、ボイスコイルモータ２１と、支軸１５と、キャリッジアーム１７とを有する。【００２５】
ボイスコイルモータ２１には当業界で既知のいかなる技術をも適用することができ、ここでは詳しい構造の説明は省略する。例えば、ボイスコイルモータ２１は、筐体１２内に固定された鉄板に固定された永久磁石と、キャリッジアーム１７と支軸１５を境に逆方向に配置固定された可動コイルを有する。支軸１５は、キャリッジアーム１７に設けられた円筒中空孔に嵌合し、筐体１２内に図１の紙面に垂直に延びるように配置される。【００２６】
キャリッジアーム１７は、支軸１５の周りで回転又は揺動可能となっており、その先端にサスペンション１８とを備える。サスペンション１８は、例えば、ステンレス製のサスペンションであり、図示しないジンバルばねによってスライダ１９及びその先端のリフトタブ２０を片持ち支持する。また、サスペンション１８はスライダ１９にＧＢＢ（ゴールドボールボンディング）などを介して接続される配線パターンが配設される。配線部は図１では省略されている。かかるＧＢＢ接続を介して、ヘッド２３と配線部との間でセンス電流、書き込み情報及び読み出し情報が供給及び出力される。スライダ１９及びリフトタブ２０には、磁気ディスク１３の表面に抗して弾性力がサスペンション１８から加えられる。【００２７】
リフトタブ２０は、サスペンション１８の先端部に設けられ、例えば、サスペンション１８と一体で同一材料で構成される。リフトタブ２０は、ランプ３０を摺動することによって、スライダ１９のロード及びアンロード動作を行う。即ち、リフトタブ２０は、磁気ディスク１３の駆動開始時にスライダ１９をランプ３０から磁気ディスク１３上へロードし、磁気ディスク１３の駆動終了時にスライダ１９を磁気ディスク１３上からアンロードしてランプ３０に保持させる。【００２８】
図１、図３及び図４を参照するに、ランプ３０は、ディスク１３の最外周近傍に設けられ、その一部はディスク１３に張り出している。ここで、図３及び図４は、それぞれ、ランプ３０の拡大斜視図及び拡大平面図である。本実施形態では、便宜上、一の磁気ディスク１３の表裏に対して設けられるリフトタブ用のランプ３０を説明するが、本発明はこれに限定されない。【００２９】
図３及び図４に示すように、ランプ３０は、筐体１２の底面にネジなどを介して固定される固定部３１と、固定部３１に結合して磁気ディスク１３の外側に配置された基部３２と、リフトタブ２０を案内及び保持すると共にリフトタブ２０と摺動可能に当接するガイド部３３とを有する。ガイド部３３の先端に形成されるＵ字形の溝３４に磁気ディスク１３の外周が部分的に挿入される。【００３０】
基部３２は、リフトタブ２０が振動して後述する保持部３６から外れないように押さえるためのカバー３５を備える。なお、カバー３５は、摺動面３８上にも延在してもよい。【００３１】
ガイド部３３は、保持部３６と、摺動部３７と、押え板３９とを有する。なお、保持部３６と摺動面３８はガイド部３３の下側にも形成されて図示しない別のリフトタブに使用されるが、便宜上、上側のみを説明する。【００３２】
保持部３６は、スライダ１９を支持するリフトタブ２０を保持する凹部であり、リフトタブ２０にとってはランプ３０におけるホームポジションである。保持部３６の凹部の形状は、本実施形態では、両側のやや開いたＵ字形であるが、Ｖ字形、その他の形状であってもよい。【００３３】
摺動部３７は、リフトタブ２０が所定の弾性力をもって当接することができる高さに配置された摺動面３８を有する。摺動面３８は、図４に示すように、リフトタブ２０が描く円弧状の軌跡に対応する所定幅の円弧形状を有し、平坦部３８ａと傾斜部３８ｂとを有している。平坦部３８ａは保持部３６に接続し、ディスク１３の表面と平行に延びる。平坦部３８ａから磁気ディスク１３に向かって傾斜する傾斜部３８ｂは磁気ディスク１３上に部分的に張り出す。【００３４】
押え板３９は、本体から突出し、角柱形状を有し、磁気ディスク１３の表面と略平行な上面と下面とを有する。押え板３９は、ジンバル及び、スライダ１９の変動を抑える機能を有する
加熱部４０は、リフトタブ２０とランプ３０の両方を加熱する。加熱部４０の設置に先立って、本発明者はリフトタブ２０とランプ３０の温度と磨耗との関係を調べた。【００３５】
本発明者は、リフトタブ２０をランプ３０にロード及びリフトタブ２０をランプ３０からアンロードするロード及びアンロードを１００万回繰り返して常温（２５℃）と低温（０℃）におけるランプ３０の摺動面３８の磨耗深さを調べた。すると図５に示すような結果が得られた。縦軸はランプ３０の磨耗深さ（μｍ）であり、横軸は温度である。図５に示すように、ランプ３０の磨耗は常温時（約０．３μｍ）よりも低温時（約０．６μｍ）の方が大きいことが理解される。【００３６】
また、図５に示す実験では、ＨＤＤを恒温槽に入れ、恒温槽自体を図５の温度にした場合の結果であることから、加熱部４０が、ランプ３０周囲の環境温度を低温から常温以上に加熱すれば、磨耗は低減することが理解される。但し、図５に示す実験は、環境温度によるランプ磨耗の差を示したものであり、本発明の効果を直接説明するものではない。本発明の内容では、ランプの周囲の温度のみを上げる為、図５に示す結果の常温と低温の間の結果となることが予想される。【００３７】
加熱部４０が装置内部全体を温めることができる高機能のものであれば、ランプの近傍に配置する必要はないが、コストアップや消費電力アップになる為、ランプロード中のリフトタブやランプの周囲を温めることができる程度のものを採用しランプの近傍に配置している。【００３８】
また、加熱部４０はランプ３０全体ではなくリフトタブ２０が摺動する摺動部３７のみを加熱してもよい。摺動部３７の摺動面３８で磨耗粉が発生するからである。ヘッドがロードされた後はリフトタブ２０とランプ３０との磨耗はなくなるので、リフトタブ２０を加熱するのはリフトタブ２０がランプ３０に接触している間のみで十分である。【００３９】
次に、加熱部４０は、ランプ３０から離れて配置されることが好ましい。ランプ３０は典型的にポリアセタールや液晶ポリマなどの材料からなり、加熱部４０がランプ３０に搭載されると加熱によりランプが変形して寸法精度が低下する可能性があるからである。本実施例は、図１に示すように、加熱部４０をランプ３０に関してディスク１３と反対側に設けている。但し、本発明は、加熱部４０をランプ３０に部材を介在させて搭載し、かかる部材によって加熱部４０による加熱を緩和する構成を排除するものではない。【００４０】
加熱部４０は、本実施例ではヒータである。ヒータの種類は問わない。但し、本発明は、図７を参照して後述するように、加熱部４０を独立の部材としてのヒータとして構成することを要求するものではない。【００４１】
図１及び図６に示すように、加熱部４０を利用した温度制御系は、温度センサー４２と、制御部４４と、メモリ４６とを有することが好ましい。ここで、図６は温度制御系のブロック図である。温度センサー４２は、リフトタブ２０とランプ３０の両方の温度又は両者が配置された環境温度を測定する。温度センサー４２の位置は、図１においては、加熱部４０の近傍にあるが、その位置は環境温度を測定できる限り限定されない。【００４２】
制御部４４は、温度センサー４２の結果に基づいて加熱部４０の加熱動作を制御する。メモリ４６は制御すべき温度又は温度範囲の情報を格納する。制御部４４とメモリ４６は、例えば、後述する回路基板５０に搭載される。制御部４４は、温度センサー４２が測定した温度をメモリ４６内の温度と比較してかかる比較結果に基づいて加熱部４０の加熱動作（例えば、加熱部４０への通電）を制御する。これにより、制御部４４は、冬季や夜半などの低温時のみに加熱部４０を駆動することができるので省電力を図ることができる。また、ランプ３０を常時加熱しないのでランプの変形による寸法精度の低下を防止することができる。  メモリ４６が格納する目標環境温度は常温（２５℃）であることが好ましい。ランプ３０は、典型的に常温（２５℃）で所期の寸法になるように設計されるのでそれ以上でもそれ以下の温度でも寸法精度が低下する。この場合の寸法変化は略線形である。このため、制御部４４は常温で環境温度をフィードバック制御すればランプ３０の寸法精度を維持することができる。【００４３】
制御部４４とメモリ４６を設ける代わりに、所定の温度（例えば、２５℃）以下になったときに温度センサー４２は検出信号を加熱部４０に送信し、かかる検出信号が送信されている間は加熱部４０による加熱がＯＮになるように構成されてもよい。このように、加熱部４０は、リフトタブ２０とランプ３０の温度がある所定の温度よりも低下しないように調整すれば足りる。【００４４】
また、コストアップになる温度センサを使用せずに、タイマにより装置の使用開始時からの所定時間(常温環境になる時間分)だけ加熱制御するようにしても良い。【００４５】
加熱部４０の加熱制御に関し、装置の電源オン時やスリープモードからの再起動時などの低温環境下の使用開始時であって、最初にヘッドを記録媒体にロードする前に加熱を開始し、ランプ近傍を常温以上の温度環境に温めておく必要がある。その後は、装置全体がモータなどの使用により温まり、常温以上の温度環境になるので、加熱を行う必要はなくなるので、加熱部４０による加熱を停止する。また、モータや回路基板による温度上昇し、装置内の温度が常温以上に上昇するまでに、通常の使用形態で何度も繰り返しランプロードやランプアンロードが行なわれる可能性は少ないと考えられ、頻繁にランプロードを行なわない使用環境の装置であれば、最初のヘッドのロード後すぐに加熱部による加熱を停止しても良い。【００４６】
また、起動後しばらく使用した後に常温以下でランプロードする時はリフトタブは加熱部から離間しているので、加熱する場合はランプのみ加熱することになる。起動後しばらく使用した後に常温以下でランプアンロードする時は、リフトタブはランプに保持されているので、加熱する場合はリフトタブとランプを同時に加熱することができる。ランプロード／アンロードを頻繁に行う場合は常温になるまでしばらく加熱するようにしても良いし、ランプロード／アンロードを頻繁に行わない装置の場合は、常時もしくは所定時間加熱せずに一時的に加熱するようにしても良い。装置の使い勝手にあわせて適宜設定することが可能である。【００４７】
加熱部４０は、ＩＣやＬＳＩなどの従来から回路基板５０に搭載されている発熱性回路素子を転用してもよい。図７は、回路基板５０に搭載されているＩＣ５２を加熱部４０として使用する実施例の平面図である。本実施例では、ランプ３０は回路基板５０の表面（図７に示す面の裏面）に設けられ、ＩＣ５２は回路基板５０の裏面（図７に示す面）に設けられている。これは、配置上の制約から同一面に両者を配置しづらいことなどの理由によるが、ランプ３０とＩＣ５２との接触を防止して寸法精度を維持する効果もある。本実施例では、ＩＣ５２は、回路基板５０の裏面においてランプに対応する位置に設けられているが、リフトタブ２０とランプ３０を加熱できる限り、回路基板５０の裏面において図１に示す加熱部４０に対応する位置に設けられるなど位置は限定されない。本実施例により、加熱部４０を新たな部材として設けることなくランプ３０の磨耗を防止することができる。【００４８】
ＨＤＤ１は、図示しない制御系として、制御部（制御部４４であってもよい）、インターフェース、ハードディスクコントローラ（以下、「ＨＤＣ」という。）、ライト変調部、リード復調部、ヘッドＩＣを有する。制御部は、ＣＰＵ、ＭＰＵなど名称の如何を問わずいかなる処理部を含み、制御系の各部を制御する。インターフェースは、例えば、ＨＤＤ１を上位装置であるパーソナルコンピュータ（以下、「ＰＣ」という。）などの外部装置に接続する。ＨＤＣは、リード復調部によって復調されたデータを制御部に送信したり、ライト変調部にデータを送信したりする。ＨＤＣは制御部４４であってもよい。また、制御部又はＨＤＣはスピンドルモータ１４とアクチュエータ２１（のモータ）をサーボ制御する。ライト変調部は、例えば、インターフェースを介して上位装置から供給され、インダクティブヘッドによって磁気ディスク１３に書き込まれるデータを変調してヘッドＩＣに供給する。リード復調部はＭＲヘッド素子が磁気ディスク１３読み取ったデータをサンプリングして元の信号に復調する。ライト変調部とリード復調部が一体の信号処理部として把握されてもよい。ヘッドＩＣはプリアンプとして機能する。【００４９】
ＨＤＤ１の動作において、図示しない制御部が、上位装置の命令などに応答してスピンドルモータ１４を駆動して磁気ディスク１３を回転させる。次に、制御部は、アクチュエータ２１を制御してキャリッジアーム１７を支軸１５回りに回動させる。当初、リフトタブ２０はランプ３０の保持部３６に保持されているが、キャリッジ１６の回転によりリフトタブ２０は保持部３６から摺動面３８に移行する。【００５０】
次いで、リフトタブ２０は摺動面３８を経てディスク１３に移動し、ヘッド２３はディスク１３の目的のトラック上にシークされる。かかるアンロード時に加熱部４０が予めリフトタブ２０とランプ３０を（好ましくは常温に）加熱しているので磨耗が低減し、磨耗粉によるクラッシュを防止する。【００５１】
ディスク１３の回転に伴う空気流がスライダ１９とディスク１３との間に巻き込まれて微小な空気膜を形成され、スライダ１９にはディスク面から浮上する浮力が作用する。一方、サスペンション１８はスライダ１９の浮力と対向する方向に弾性押付力をスライダ１９に加えている。かかる浮力と弾性力との釣り合いにより、スライダ１９と磁気ディスク１３との間が一定に離間する。【００５２】
書き込み時には、図示しない制御部は、インターフェースを介して上位装置から得たデータを受信し、インダクティブヘッド素子を選択し、ＨＤＣを介してライト変調部に送信する。これに応答して、ライト変調部はデータを変調した後に当該変調されたデータをヘッドＩＣに送信する。ヘッドＩＣは、かかる変調されたデータを増幅した後でインダクティブヘッド素子に書き込み電流として供給する。これにより、インダクティブヘッド素子は目的のトラックにデータを書き込む。【００５３】
読み出し時には、図示しない制御部は、ＭＲヘッド素子を選択し、所定のセンス電流を、ＨＤＣを介してＭＲヘッド素子に供給する。信号磁界に応じて変化するＭＲヘッド素子の電気抵抗変化に基づくデータは、ヘッドＩＣによって増幅され、その後、リード復調部に供給されて元の信号に復調される。復調された信号は、ＨＤＣ、制御部、インターフェースを介して、図示しない上位装置に送信される。【００５４】
本実施形態によれば、本体のディスク１３上への張り出し量は低減しているのでディスク１３の実効的な記録領域を広く確保することができる。【００５５】
読み出し及び書き込みが終了すると、制御部は、アクチュエータ１６を制御してキャリッジアーム１７を支軸１５回りにディスク１３の内周から外周に向かって回動させる。これにより、リフトタブ２０はディスク１３上からアンロードされる。その後、リフトタブ２０は摺動面３８を移動し、保持部３６に保持される。保持部３６において、カバー３５はリフトタブ２０の垂直な方向への移動を規制する。また、押え板３９は、ジンバルに一定の隙間で対向し、ジンバルの異常な変位（即ち、スライダ１９の異常な変位）を規制する。【００５６】
図示しない制御部は、スピンドルモータ１４を駆動して磁気ディスク１３の駆動を停止させる。ランプローディング方式を採用しているので、ＣＳＳ方式とは異なり、磁気ディスク１３には駆動停止時にスライダ１９による摩擦力が印加されずクラッシュの危険性は少なくなる。【００５７】
以上、本発明の実施の形態を説明したが、本発明はこれらの実施の形態に限定されず、その要旨の範囲内で様々な変形及び変更が可能である。例えば、磁気ディスク１３の枚数とスライダ１９の数に対応してランプ３０の保持部３６や摺動面３８の数も増減可能である。また、本発明の記録媒体の種類は磁気記憶媒体に限定されず、光(熱)磁気記憶媒体なども含まれる。
【産業上の利用の可能性】
【００５８】
本発明によれば、クラッシュの危険性を低減することによって安定した記録再生動作をもたらす記憶装置を提供することができる。
【図６】
2007091296.tif 000003
【図１】
2007091296.tif 000004
【図２】
2007091296.tif 000005
【図３】
2007091296.tif 000006
【図４】
2007091296.tif 000007
【図５】
2007091296.tif 000008
【図７】
2007091296.tif 000009
【国際調査報告】
2007091296.tif 000010
2007091296.tif 000011
2007091296.tif 000012
2007091296.tif 000013